(57)【要約】【課題】  粘着剤などの塗工剤の粘度に左右されることなく、簡単な構成でシート体に塗工剤を部分的に散在するように塗布する塗工剤のコーティング方法およびコーティング装置を提供すること。【解決手段】  液槽１８に充填された塗工剤５’を外表面９ａに付着したコーティングロール９の回動と、該コーティングロール９に当接および離間する方向に反復移動する塗工剤除去手段１６によって、コーティングロールの回転方向に対して断続した幅方向に延びる塗工剤の付着部６を形成し、その後マスキング手段１５によって付着部６がマスキングされ、付着部６の一部のみ部分的にシート体１に付着した状態が形成される。シート体１がマスキング手段１５の上面を通過するたびに塗工剤が連続して転写され、シート体１の表面には複数の塗工剤が疎らに形成される。したがって、シート体１の全面に塗工剤をコーティングする必要がなく節約も図れる。【選択図】  図１
2006346570.tif 000002
【特許請求の範囲】
【請求項１】
回転するコーティングロールの外表面に塗工剤を付着させるとともに、シート体を前記コーティングロールの外表面上で走行させて、マスキング手段を介して前記シート体の表面に塗工剤を連続的に転写する塗工剤のコーティング方法において、前記コーティングロールの幅方向に配置した塗工剤除去手段を該コーティングロールに当接および離間する方向に反復移動させることにより、前記コーティングロールの回転方向に対して断続した幅方向に延びる塗工剤が付着した付着部を形成し、その後、前記マスキング手段により前記付着部から塗工剤を部分的に前記シート体の表面に転写したことを特徴とする塗工剤のコーティング方法。
【請求項２】
前記マスキング手段には前記コーティングロールの幅方向に複数の切欠きが形成されている請求項１に記載の塗工剤のコーティング方法。
【請求項３】
前記塗工剤除去手段のコーティングロールの回転方向後方には、前記コーティングロール外表面に付着する塗工剤の厚みを調整する塗工剤調整手段が設けられている請求項１または２に記載の塗工剤のコーティング方法。
【請求項４】
前記シート体は剥離紙からなり、塗工剤が転写された剥離紙を帯状のコンデンサ用電解紙に一体的に密着させて該電解紙に塗工剤を再転写させた請求項１乃至３のいずれかに記載の塗工剤のコーティング方法。
【請求項５】
回転するコーティングロールの外表面に塗工剤を付着させるとともに、シート体を前記コーティングロールの外表面上で走行させて、マスキング手段を介して前記シート体の表面に塗工剤を連続的に転写する塗工剤のコーティング装置において、前記コーティングロールに当接および離間する方向に反復移動可能な塗工剤除去手段を備えるとともに、前記マスキング手段は、前記コーティングロールの幅方向に付着した塗工剤から部分的に塗工剤を前記シート体の表面に転写する開口部を有していることを特徴とする塗工剤のコーティング装置。
【発明の詳細な説明】
【技術分野】
【０００１】
本発明は、回転するコーティングロールの外表面に塗工剤を付着させるとともに、帯状のシート体を前記コーティングロールの外表面上で走行させて、前記帯状のシート体の表面に塗工剤を連続的に転写する塗工剤のコーティング方法およびコーティング装置に関する。
【背景技術】
【０００２】
従来、回転するコーティングロールの外周面（外表面）に付着した接着剤を帯状のシート体表面に転写する方法として、例えば、所定パターンの凹部を有する第１のロールと、凸部を有する第２のロールとを備え、第１ロールの凹部に詰めた接着剤を第２ロールの凸部表面に転写させ、この第２ロールの外周面（外表面）上を走行する帯状のシート体に再転写するようにしたコーティング方法が知られている（例えば、特許文献１参照）。しかし帯状のシート体に接着剤を部分的に散在するように（疎らに）コーティングする場合には、第１ロールの凹部を細かく形成しなければならず、特に接着剤の粘度が高い場合には、凹部内に接着剤が充分に詰まらず転写ミスが生じる恐れがあった。
【０００３】
そこで第１ロールに細かな凹部を形成することなく帯状のシート体に塗料を局部的に付着するようにコーティングする方法が既に開発されている（例えば、特許文献２参照）。このコーティング方法は、コーティングロールの回転方向に塗料をストライプ状に付着させ、帯状のシート体をコーティングロールとバッキングロールとの間に挟んで走行させ、転写時にバッキングロールをコーティングロールから離間させ、コーティングロールの回転速度を低速にすることで、帯状のシート体の幅方向に無塗布部分を作成して、塗料を局部的に付着する。
【０００４】
【特許文献１】特開平１０−２７７４５５号公報（段落００１２、００１３、図１、２）
【０００５】
【特許文献２】特開２０００−５１７７８号公報（段落００１７から００２０、図２、３）
【発明の開示】
【発明が解決しようとする課題】
【０００６】
しかし前記特許文献２に記載されたコーティング方法において、帯状のシート体の幅方向に無塗布部分を作成しようとする場合、バッキングロールをコーティングロールから離間させるとともに、コーティングロールの回転速度を高速から低速に切り換える必要があり、塗料の粘度が高い場合にはバッキングロールを離間しても塗料の切り離しが充分行えず、しかも無塗布部分の間隔を細かくしようとすると速度変動を頻繁に繰り返さなければならず、製作にコストと時間が掛かり、より簡単な構成でシート体に確実に塗料をコーティングさせるというの点で充分なものとは言えなかった。
【０００７】
本発明は、このような問題点に着目してなされたもので、粘着剤などの塗工剤の粘度に左右されることなく、簡単な構成で帯状のシート体に塗工剤を部分的に散在するように塗布する塗工剤のコーティング方法およびコーティング装置を提供することを目的としている。
【課題を解決するための手段】
【０００８】
上記課題を解決するために、本発明の請求項１に記載の塗工剤のコーティング方法は、回転するコーティングロールの外表面に塗工剤を付着させるとともに、シート体を前記コーティングロールの外表面上で走行させて、マスキング手段を介して前記シート体の表面に塗工剤を連続的に転写する塗工剤のコーティング方法において、前記コーティングロールの幅方向に配置した塗工剤除去手段を該コーティングロールに当接および離間する方向に反復移動させることにより、前記コーティングロールの回転方向に対して断続した幅方向に延びる塗工剤が付着した付着部を形成し、その後、前記マスキング手段により前記付着部から塗工剤を部分的に前記シート体の表面に転写したことを特徴としている。
この特徴によれば、コーティングロールの回転速度を変化させることなく、塗工剤除去手段をコーティングロールに当接および離間する方向に移動させた後、マスキング手段を介してシート体の表面に塗工剤を部分的に転写することで、塗工剤の粘度に左右されることなくシート体の表面に塗工剤が疎らに転写できるので、塗工剤を全面にコーティングする必要のない場合の塗工剤の節約が図れる。
【０００９】
本発明の請求項２に記載の塗工剤のコーティング方法は、請求項１に記載の塗工剤のコーティング方法であって、前記マスキング手段には前記コーティングロールの幅方向に複数の切欠きが形成されていることを特徴としている。
この特徴によれば、マスキング手段の複数の切欠きとコーティングロールの回転方向に断続した塗工剤が付着した付着部との整合した部分の塗工剤のみがシート体に転写されるので、切欠きの数を適宜選定することにより、転写される塗工剤の疎ら度合いを自由に設定することができる。尚、マスキング手段の切欠きを等間隔に形成することで、疎らに転写される塗工剤を整然と配列することができる。
【００１０】
本発明の請求項３に記載の塗工剤のコーティング方法は、請求項１または２に記載の塗工剤のコーティング方法であって、前記塗工剤除去手段のコーティングロールの回転方向後方には、前記コーティングロール外表面に付着する塗工剤の厚みを調整する塗工剤調整手段が設けられていることを特徴としている。
この特徴によれば、コーティングロールと塗工剤調整手段との近接距離を適宜調整することにより、コーティングロールに付着される塗工剤の付着高さが調整され、余分な塗工剤が掻き落とされるので、コーティングロールには、所望高さの断続した塗工剤の付着部が形成される。
【００１１】
本発明の請求項４に記載の塗工剤のコーティング方法は、請求項１乃至３のいずれかに記載の塗工剤のコーティング方法であって、前記シート体は剥離紙からなり、塗工剤が転写された剥離紙を帯状のコンデンサ用電解紙に一体的に密着させて該電解紙に塗工剤を再転写させたことを特徴としている。
この特徴によれば、電解紙に塗工剤を再転写できるようにコーティングすることにより、電解コンデンサの製作における電極箔の貼り付け作業を迅速かつ容易に行えるとともに、電解紙と電極箔とを積層したコンデンサ素子に電解液を含浸させる際にも、電解紙には塗工剤が疎らに付着されているので、電解液の含浸性が向上し、電解コンデンサの電気的特性を改善することができる。
【００１２】
上記課題を解決するために、本発明の請求項５に記載の塗工剤のコーティング装置は、回転するコーティングロールの外表面に塗工剤を付着させるとともに、シート体を前記コーティングロールの外表面上で走行させて、マスキング手段を介して前記シート体の表面に塗工剤を連続的に転写する塗工剤のコーティング装置において、前記コーティングロールに当接および離間する方向に反復移動可能な塗工剤除去手段を備えるとともに、前記マスキング手段は、前記コーティングロールの幅方向に付着した塗工剤から部分的に塗工剤を前記シート体の表面に転写する開口部を有していることを特徴としている。
この特徴によれば、コーティングロールの回転速度を変化させることなく、塗工剤除去手段をコーティングロールに当接および離間する方向に移動させてコーティングロールの回転方向に対して断続した幅方向に延びる塗工剤の一部を、マスキング手段の開口部を介して、シート体の表面に転写できるので、塗工剤の粘度に左右されることなくシート体の表面に塗工剤が疎ら且つ確実に転写できる装置を提供できる。
【発明を実施するための最良の形態】
【００１３】
本発明の実施例を以下に説明する。
【実施例】
【００１４】
図１は、本発明の実施例における塗工剤のコーティング方法を行なうコーティング装置の全体像を示す斜視図であり、図２は、コーティング装置による塗工剤の塗工を示す側断面図であり、図３は、塗工剤の剥離紙への転写過程を示す平面視要部拡大図であり、図４は、コーティング装置によって巻回された巻回体を再び剥離紙と電解紙に剥離して分離する過程を示す斜視図であり、図５は、剥離紙が剥離された電解紙を利用して、巻回式積層電解コンデンサのコンデンサ素子を形成する過程を示す斜視図である。尚、実施例では、コーティングされる塗工剤の一例として粘着剤を例示する。
【００１５】
図１に示されるようにコーティング装置１７は、液槽１８内に充填された粘着剤５’を長尺帯状のシート体である剥離紙１に冷溶着で付着させるもので、以下、本実施例の説明において、コーティング装置１７の剥離紙１の搬送方向を前方側とし、剥離紙１の供給側を後方とし、剥離紙１の幅方向を左右方向として説明する。
【００１６】
図１および図２に示されるようにコーティング装置１７について詳細に説明すると、下方位置に左右幅方向に長い矩形の液層１８が設けられており、ゴム系・シリコン系・アクリル系などの粘度を有する粘着剤５’で充たされている。液層１８の直上には幅方向に延びる軸芯を中心に左側面視反時計回りで回動制御されるドラム型のコーティングロール９が軸支され、下部が液層１８内の粘着剤５’に浸された状態で設けられており、コーティングロール９の回動によって粘着剤５’を上方に掻き揚げ可能になっている。尚、コーティングロール９の回転速度は一定の速度で回動制御されている。
【００１７】
このコーティングロール９の上端には、左右の幅方向に接触するように延設された薄板状の塗工マスキング板１５が後方から前方に向けて上方に反り返るように設けられており、この塗工マスキング板１５には後方から前方に掛けて、左右方向に所定間隔で開口部としての切欠きスリット１５ａが形成されている。コーティングロール９の後方面の上下中央位置には、塗工剤除去手段としての薄板状の可動ドクターブレード１６がコーティングロール９の幅方向に沿って設けられている。
【００１８】
可動ドクターブレード１６のコーティングロールの回転方向後方（下方近傍位置）には、塗工剤調整手段としての薄板状の固定ドクターブレード２０がコーティングロール９の幅方向に沿って設けられており、その先端部がコーティングロール９面に近接されている。この固定ドクターブレード２０によって液槽１８からコーティングロール９の外表面９ａに掻き揚げられる余分な粘着剤５’が掻き落とされ、外表面９ａには所定の厚みに調整された粘着層７が形成されることになる。
【００１９】
この可動ドクターブレード１６は、コーティングロール９に当接および離間する方向に反復して繰り返し可動制御される構成になっていることから、粘着層７の切り離しが繰り返し行なわれ、断続的に余分な粘着層７が掻き落とされる。そして、可動ドクターブレード１６の反復移動が継続されることで、図１に示されるようにコーティングロール９の外表面９ａには、コーティングロールの回転方向に対して断続した幅方向に延びる付着部６が複数形成される。
【００２０】
さらに、可動ドクターブレード１６の上部には、コーティングロール９と略同幅で側面円径がやや小さい弾性ドラム８が設けられており、左側面視時計回りに回転される。この弾性ドラム８と塗工マスキング板１５との間には帯状の剥離紙１が挟み込まれ、弾性ドラム８によって剥離紙１および塗工マスキング板１５がコーティングロール９の外表面９ａに押し付けられながら、剥離紙１が後方から前方に向けて移動されていく。
【００２１】
弾性ドラム８の前方位置には上下に所定間隔離間され、左右に延びる案内ローラ１１，１２が軸支されており、さらに前方上部位置に左右に軸支され左側面視時計回りで回転制御される巻取りローラ１０が設けられており、前述の弾性ドラム８と塗工マスキング板１５から移動された剥離紙１を案内ローラ１１に経由させるとともに、前方下部より剥離紙１と略同型の長尺帯状の電解紙３（後述において説明する電解コンデンサ内部のコンデンサ素子に用いられるセパレータ）を案内ローラ１２に経由させたのち、剥離紙１と電解紙３の両者が幅方向に重ね合わされて巻取りローラ１０によって、剥離紙および電解紙３の巻回体１９を構成するようにして巻取られていく。
【００２２】
尚、図２に示されるように剥離紙１は予め後方上部の剥離給紙軸１３に軸支されロールシート体として巻回されており、同様にして電解紙３も予め前方下部の電解給紙軸１４に軸支されロールシート体として巻回されており、コーティング装置１７内で剥離紙１および電解紙３が消耗された場合でも、これらロールシート体を交換するだけで簡便に剥離紙１および電解紙３の補給が行なえるようになっている。
【００２３】
粘着層７の除去手段である可動ドクターブレード１６によって形成された付着部６は、コーティングロール９の回動によって外表面９ａに付着されたまま塗工マスキング板１５の下面に搬送される。ここで、後述においても詳しく説明するがマスキング手段である塗工マスキング板１５によって、さらに不必要な付着部６の一部がマスキングされて、切欠きスリット１５ａに臨んだ部分粘着剤５のみがコーティングロール９と弾性ドラム８の外表面８ａとの間に挟み込まれた剥離紙１の表面である被転写面２に転写される。
【００２４】
このようにして、固定ドクターブレード２０の先端部と外表面９ａとの間隔を予め調整しておくことで、粘着剤５’が常に一定の厚み（高さ）となる粘着層７が形成されるので、その後の可動ドクターブレード１６の反復移動よっても、より確実に断続した所定厚さ（高さ）の付着部６が形成され、剥離紙１の表面には塗工マスキング板１５を介して、常に斑のない所定厚みの部分粘着剤５が形成される。また、固定ドクターブレード２０と外表面９ａとの間隔は適宜変更可能になっており、粘着層７の厚み（高さ）を自由に設定調整可能になっている。
【００２５】
そして、被転写面２には要部拡大部分（一点鎖線の囲繞部分）に示されるように部分粘着剤５の付着部分２ａと付着されない無着部分２ｂとが形成されることで、連続的に部分粘着剤５が疎らな状態で転写され巻取りローラ１０によって、剥離紙１の被転写面２と電解紙３の再転写面４とで部分粘着剤５が挟み込まれ、部分粘着剤５の表面が再転写面４に付着されながら多層に巻き取られていく。
【００２６】
尚、粘着剤５’に粘度の高い塗工剤が用いられる場合には、可動ドクターブレード１６と固定ドクターブレード２０を極力近接した状態が好ましく、このようにすれば、可動ドクターブレード１６のコーティングロール９への当接時に、可動ドクターブレード１６の前端部１６ａの下面（コーティングロール９の回動方向後方）とコーティングロール９の外表面９ａとの間に粘着剤の液溜まりが生じることが防止されることから、コーティングロール９から可動ドクターブレード１６が離間されて新たな付着部６が形成される際に、液溜まりによる悪影響が回避される。さらに、この場合では、固定ドクターブレード２０を可動ドクターブレード１６の摺動板としても利用することも可能である。
【００２７】
また、可動ドクターブレード１６の反復移動速度や、コーティングロール９の回動速度を適宜選択することにより、同じく、転写される部分粘着剤５の疎ら度合いを自由に設定することができる。尚、少なくとも可動ドクターブレード１６の反復移動速度や、コーティングロール９の回動速度を一定とすることで、剥離紙１に部分粘着剤５を精度良く転写することができることから好ましいが、前述の反復移動速度や回動速度を適宜変更することもできる。
【００２８】
次いで、図３に示されるように部分粘着剤５の剥離紙１への転写過程について具体的に説明すると、マスキング手段である塗工マスキング板１５の複数の切欠きスリット１５ａはコーティングロール９の幅方向に複数形成されている。そこで、まずコーティングロール９の回動と可動ドクターブレード１６の前端部１６ａがコーティングロール９の外表面９ａに所定の時間毎に当接および離間する反復移動によって、コーティングロールの回転方向に対して断続した幅方向に延びた付着部６が形成される。
【００２９】
さらにコーティングロール９が回動されていくと、塗工マスキング板１５によって切欠きスリット１５ａ内には付着部６の一部（部分粘着剤５）が臨む状態となり、他の付着部６はマスキングされる。そして、巻取りローラ１０（図１，２参照）の巻取りによって剥離紙１が進行方向（後方から前方）に移動されながら、塗工マスキング板１５の上面を通過する際に、切欠きスリット１５ａとの整合した付着部６の粘着剤（切欠きスリット１５ａ内の部分粘着剤５）のみが剥離紙１に転写される。
【００３０】
このようにして、塗工剤除去手段である可動ドクターブレード１６をコーティングロール９に当接および離間する方向に反復移動させた後、マスキング手段である塗工マスキング板１５を介して剥離紙１の表面に粘着剤を転写する一連の転写作業の継続によって、帯状の剥離紙１の表面には複数の部分粘着剤５が疎らに形成されていくことになる。
【００３１】
したがって、（液槽１８内の）粘着剤５’の粘度に左右されることなく確実に剥離紙１の全域に渡って部分粘着剤５が部分的に散在するように転写され、かつ部分粘着剤５の散在形態も適宜設定可能であり、剥離紙１の表面に部分粘着剤５を所望の疎ら形状に転写することができる。
【００３２】
本実施例の場合、切欠きスリット１５ａが幅方向に等間隔で複数形成されているので、剥離紙１に疎らに転写される部分粘着剤５が整然と配列される。また、切欠きスリット１５ａの切欠きの数を適宜選定することにより、転写される粘着剤５の疎ら度合いを自由に設定することができる。
【００３３】
図４には、コーティング装置１７（図１、２参照）によって疎らかつ均等に部分粘着剤５を付着した剥離紙１と電解紙３とが重ね合わされて巻回された巻回体１９が、巻取りローラ１０から取り出されており、この巻回体１９の一端部側より剥離紙１を剥離させていくと、部分粘着剤５が剥離紙１の被転写面２から離間され、電解紙３の再転写面４に一体的に密着され再転写される。このように、電解紙３の再転写面４には部分粘着剤５の付着部分４ａと付着されない無着部分４ｂとが形成されることで、連続的に部分粘着剤５が疎らかつ均等な状態で転写されるとともに、剥離紙１の被転写面２は無着部分２ｂのみとなる。
【００３４】
次に、図５に示されるように疎らに部分粘着剤５が付着された電解紙３を、例えば巻回式積層電解コンデンサの円筒状タイプのコンデンサ素子３０に使用した一例が示されており、コンデンサ素子３０の製作手順を説明すると、コンデンサ素子３０は帯状の電極箔である陽極箔３１および陰極箔３３と、これら電極箔にそれぞれ対応して設けられるセパレータとしての電解紙３、３’と、金属棒の２本の引出端子３２，３４とから構成されている。
【００３５】
予め電解紙３の再転写面４には疎らに付着された部分粘着剤５を介して、電解紙３よりも若干幅狭な帯状の陽極箔３１が貼付されており、同様にして電解紙３’の再転写面４には疎らに付着された部分粘着剤５を介して電解紙３よりも若干幅狭な帯状の陰極箔３３が貼付されている。電解紙３，３’に付着される部分粘着剤５の配置位置は、予め幅方向に沿っても疎らかつ均等に付着されていることから、陽極箔３１および陰極箔３３の幅方向の両端部近傍にも極力近接した位置で接合されるので、例えば巻回の際に電解紙３，３’から陽極箔３１および陰極箔３３の剥がれる虞が未然に防止されている。さらに部分粘着剤５は陽極箔３１および陰極箔３３の全域に渡って疎らに接合されるので、より確実な接合状態を維持できる。
【００３６】
これら陽極箔３１および陰極箔３３は、陰極箔３３よりも陽極箔３１が内側になるようにして巻回されていく。そして、巻回過程において一方の陽極箔３１には引出端子３２が接続され、他方の陰極箔３３には引出端子３４が接続されて上部に突出するように引き出され、多層に巻回積層されることでコンデンサ素子３０が製作される。このように、電解紙３に再転写できるように部分粘着剤５をコーティングしたことにより、電解コンデンサの製作における電極箔（陽極箔３１および陰極箔３３）の貼り付け作業を迅速かつ容易に行なえる。
【００３７】
また、引出端子３２、３４のコンデンサ素子３０との内部の接続部分は、特に図示しないが電極箔（陽極箔３１ならび陰極箔３３）と接続し易いように平板状に形成されるほうが好ましいが、本発明はこれに限定されるものではない。尚、引出端子３２，３４は、コンデンサの外部引き出し用となる外部端子をインサート形成し、別途電極箔に接続した内部端子を外部端子と接続したものを用いても良い。
【００３８】
また、この電解紙３を用いたコンデンサ素子は本発明に限定されるものではなく、陽極箔と陰極箔を前後に複数積層させた積層タイプのコンデンサ素子や角状コンデンサ、電気二重層コンデンサ、ラミネートフィルムコンデンサ等の各種コンデンサのコンデンサ素子のセパレータとしても適用できるものである。さらには、燃料電池などの電池内における正極と負極との間に介在されるセパレータにも適用できるものである。
【００３９】
次の工程として、電解液が充填された容器内にコンデンサ素子３０を浸す（引出端子３２，３４を除く）ことで、このコンデンサ素子３０内に電解液を含浸させる作業を行なう。そして、電解液に浸されたコンデンサ素子３０内では、陽極箔３１と電解紙３を接合する部分粘着剤５以外の非接合部分３５に間隙が形成されることから、この間隙を介して電解液がコンデンサ素子３０の内部の隅々に浸透され十分に行き渡される。同様にして、図示を省略するが陰極箔３３と電解紙３’を接合する部分粘着剤５以外の非接合部分３５にも間隙が形成される。
【００４０】
このように、電解紙３，３’と電極箔（陽極箔３１，陰極箔３３）とを交互に積層したコンデンサ素子３０に電解液を含浸させる際にも、電解紙３，３’には部分粘着剤５が疎らに付着されているので、電解紙３と陽極箔３１および電解紙３’と陰極箔３３との間に部分粘着剤５以外の非接合部分３５が形成されるので、電解液の含浸率および含浸速度を飛躍的に高めることができる。
【００４１】
以上の説明により電解液が含浸されたコンデンサ素子３０は、容器より取り出され、特に図示しないが外装ケースの開口から収納され、この開口が２本の引出端子３２，３４を密封状態で外部に導出した封口体で封止されることで、外装ケース内にコンデンサ素子３０が密封され電解コンデンサが作製される。尚、外装ケースの形状はコンデンサ素子３０の形状に合わせて円筒形状として円筒状コンデンサとしても良いし、有底四角形状とした外装ケースを用いて角状コンデンサとしても良い。また、巻回されたコンデンサ素子３０の円筒形を湾曲させて薄型楕円状のコンデンサとしても良い。
【００４２】
以上、本発明の実施例を図面により説明してきたが、具体的な構成は実施例に限られるものではなく、本発明の要旨を逸脱しない範囲における変更や追加があっても本発明に含まれ、例えば上記実施例では、固定ドクターブレード２０で予めコーティングロール９の外表面９ａに付着される粘着剤５’の厚み（粘着層７）を調整することで、剥離紙１に斑のない所定厚みの粘着剤を転写できることから好ましいが、本発明はこれに限定されるものではなく、コーティング装置１７に固定ドクターブレード２０を設けずに、可動ドクターブレード１６の離間位置の設定により粘着剤の厚みを調整しても良い。またコーティングロール９による粘着剤５’の付着形成気時に液槽の外形形状を利用して、コーティングロール９の外表面９ａに付着される粘着剤５’の厚みを調整する構成にしても良い。
【００４３】
また上記実施例では、部分粘着材５が直接転写されるシート体として再転写を目的とする剥離紙１を示したが、本発明はこれに限定されるものではなく、被転写体となる電解紙の強度や品質に影響を与えない場合には、剥離紙１の被転写体となる電解紙などのシート体を塗工マスキング板１５と弾性ドラム８との間に直接挟み込み、塗工マスキング板１５の切り欠きスリット１５ａに臨んだ部分粘着材５をシート体（被転写体）に直接転写しても良い。この場合には、部分粘着材５が転写されたシート体（被転写体）面には剥離紙１を配して多層に巻取っても良い。また、シート体（被転写体）の非転写側の面に剥離機能を持たせることで剥離紙１を用いずに巻き取るようにしても良い。
【００４４】
また上記実施例では、部分粘着剤５が再転写された電解紙３は、電解コンデンサのコンデンサ素子３０に利用されているが、本発明はこれに限定されるものではなく、電解コンデンサ用の電解紙３以外の適用例として、引出端子３２，３４と電極箔（陽極箔３１，陰極箔３３）との接続部を覆うあて紙にも適用できる。つまり、部分粘着剤５が再転写されたあて紙（通常は、電解紙と同じ材質）にて接続部を覆うことで、電解液の含浸性を高めることができる。
【００４５】
この他にも部分粘着剤５の転写対象としては、シート状のものであれば良く、各種材料からなる布やフィルムに適用でき、長尺テープ状の粘着シールにも利用することもでき、粘着剤が疎ら且つ全域に渡って形成されるので、粘着強度は保たれつつも粘着剤が全面に渡り付着されていないので、剥がしやすい粘着テープとしての利用も可能になる。また、疎らな粘着剤の間には間隙（粘着剤の非接合部分）が無数に形成されるので、通気性も高められ、医療救急用の絆創膏にも応用できる。さらに塗工剤としては、上記実施例にて記載した粘着剤以外にも、各種塗料やコーティング剤を用いることができる。
【図面の簡単な説明】
【００４６】
【図１】本発明の実施例における塗工剤のコーティング方法を行なうコーティング装置の全体像を示す斜視図である。
【図２】コーティング装置による塗工剤の塗工を示す側断面図である。
【図３】塗工剤の剥離紙への転写過程を示す平面視要部拡大図である。
【図４】コーティング装置によって巻回された巻回体を再び剥離紙と電解紙に剥離して分離する過程を示す斜視図である。
【図５】剥離紙が剥離された電解紙を利用して、巻回式積層電解コンデンサのコンデンサ素子を形成する過程を示す斜視図である。
【符号の説明】
【００４７】
１                剥離紙（シート体）
２                粘着剤の被転写面
２ａ              付着部分
２ｂ              無着部分
３、３’          帯状のコンデンサ用電解紙
４                粘着剤の再転写面
４ａ              付着部分
４ｂ              無着部分
５                部分粘着剤
５’              粘着剤（塗工剤）
６                断続状の付着部
７                粘着層
８                弾性ドラム
８ａ              外表面
９                コーティングロール
９ａ              外表面
１０              巻取りローラ
１１，１２        案内ローラ
１３              剥離給紙軸
１４              電解給紙軸
１５              塗工マスキング板（マスキング手段）
１５ａ            切欠きスリット（開口部）
１６              可動ドクターブレード（塗工剤除去手段）
１６ａ            前端部
１７              塗工剤のコーティング装置
１８              液槽
１９              剥離紙および電解紙の巻回体
２０              固定ドクターブレード（塗工剤調整手段）
３０              巻回式積層コンデンサのコンデンサ素子
３１              陽極箔（電極箔）
３２              引出端子
３３              陰極箔（電極箔）
３４              引出端子
３５              粘着剤の非接合部分
【図１】
2006346570.tif 000003
【図２】
2006346570.tif 000004
【図３】
2006346570.tif 000005
【図４】
2006346570.tif 000006
【図５】
2006346570.tif 000007